(57)【要約】【課題】  ケーブル減衰の影響を避け、且つケーブル敷設工事の障害を避けるギャップフィラーシステム、およびその番組信号送信方法を提供する。【解決手段】  不感地帯に設置された中継出力部２は、モバイル放送のギャップフィラー用のＴＤＭ信号をＣＡＴＶ放送の番組信号に準じた番組信号のキャリヤ信号にしてＣＡＴＶ伝送系３に出力する。電波送信部４は、ＣＡＴＶ伝送系３を介してキャリヤ信号を受信し、キャリヤ信号のＴＤＭ信号を衛星送信器８からの直接波と同じＣＤＭ変調された再送信波に変換してモバイル端末５へ送信することにより、ギャップフィラー信号を伝送するケーブル上での減衰の影響を避けると共にケーブル敷設工事の障害を避けたギャップフィラーシステム、およびその番組信号送信方法を提供出来る。【選択図】  図１
2006080985.tif 000002
【特許請求の範囲】
【請求項１】
衛星送信器からの放送電波を地上のモバイル端末が受信するモバイル放送のギャップフィラーシステムであって、
前記モバイル放送の放送センターが送信するギャップフィラー用ＴＤＭ信号を番組信号として受信し、前記受信したＴＤＭ信号をＣＡＴＶ放送の番組信号に準じる伝送規格のキャリヤ信号に変換して出力する中継出力部と、
従続接続される少なくとも１台のノード装置と前記ノード装置に接続されるケーブルとを備え、前記中継出力部から入力される前記キャリヤ信号を伝送して出力するＣＡＴＶ伝送系と、
前記ＣＡＴＶ伝送系から入力される前記キャリヤ信号を、前記放送電波と同じＣＤＭ変調された電波に変換して、前記モバイル端末へ送信する電波送信部とを備え、
前記ノード装置は、
前記中継出力部から前記キャリヤ信号が入力される第１の入力端子と、外部、又は前段のノード装置からＣＡＴＶ放送の番組信号の多重信号が入力される前記第２の入力端子と、前記第２の入力端子へ入力される前記多重信号を出力し、更に前記第１の入力端子へ前記キャリヤ信号が入力された場合、前記第２の入力端子へ入力された前記多重信号の所定のチャネルへ前記第１の入力端子から入力されたキャリヤ信号が挿入された第２の多重信号を出力する第１の出力端子と、前記第２の入力端子へ前記キャリヤ信号が挿入された前記第２の多重信号が入力される場合、前記挿入されたキャリヤ信号を取り出して前記電波送信部へ出力する第２の出力端子とを具備すること、
を特徴とするギャップフィラーシステム。
【請求項２】
衛星送信器からの放送電波を地上のモバイル端末が受信するモバイル放送のギャップフィラーシステムであって、
前記モバイル放送の放送センターが送信するギャップフィラー用ＴＤＭ信号を番組信号として受信し、前記受信したＴＤＭ信号をＣＡＴＶ放送の番組信号に準じる伝送規格のキャリヤ信号に変換して出力する中継出力部と、
前記中継出力部から前記キャリヤ信号が入力される第１の入力端子と、外部、又は前段のノード装置からＣＡＴＶ放送の番組信号の多重信号が入力される前記第２の入力端子と、前記第２の入力端子へ入力される前記多重信号が出力され、前記第１の入力端子へ前記キャリヤ信号が入力される場合、前記入力される前記多重信号の所定のチャネルへ前記第１の入力端子から入力されたキャリヤ信号が挿入された第２の多重信号が出力される出力端子とを備える少なくとも１台のノード装置、および前記ノード装置に接続されるケーブルを備えるＣＡＴＶ伝送系と、
前記ノード装置から出力される前記第２の多重信号を入力して前記多重信号の所定のチャンネルからから前記キャリヤ信号を取り出し、前記取り出されたキャリヤ信号を前記放送電波と同じＣＤＭ変調された電波に変換して、前記モバイル端末へ送信する電波送信部と
を具備することを特徴とするギャップフィラーシステム。
【請求項３】
衛星送信器からの放送電波を地上のモバイル端末が受信するモバイル放送のギャップフィラーシステムであって、
前記モバイル放送の放送センターが送信するギャップフィラー用ＴＤＭ信号を番組信号として受信し、前記受信したＴＤＭ信号をＣＡＴＶ放送の番組信号に準じる伝送規格のキャリヤ信号に変換して出力する中継出力部と、
前記中継出力部から入力される前記キャリヤ信号を、前記放送電波と同じＣＤＭ変調された電波に変換して、前記モバイル端末へ送信する電波送信部とを備えること、
を特徴とするギャップフィラーシステム。
【請求項４】
前記ギャップフィラーシステムは、
前記モバイル放送の放送センターから前記衛星送信器を経由して送信される前記モバイル放送のギャップフィラー用ＴＤＭ信号の衛星中継波を受信する衛星受信アンテナを備え、
前記中継出力部は、前記衛星受信アンテナを介して前記衛星中継波を受信して復調することにより前記ギャップフィラー用ＴＤＭ信号を受信することを特徴とする請求項１乃至３のいずれか１つに記載のギャップフィラーシステム。
【請求項５】
前記中継出力部は、地上の通信ネットワークに接続され、
前記モバイル放送の放送センターが送信する前記ギャップフィラー用ＴＤＭ信号を前記通信ネットワークを介して受信することを特徴とする請求項１乃至３のいずれか１つに記載のギャップフィラーシステム。
【請求項６】
前記ネットワークに接続される中継出力部は、ＣＡＴＶ放送の番組信号を多重するヘッドエンド装置であることを特徴とする請求項５に記載のギャップフィラーシステム。
【請求項７】
前記伝送規格は、前記番組信号を６４ＱＡＭ変調して送信する伝送規格であることを特徴とする請求項１乃至３のいずれか１つに記載のギャップフィラーシステム。
【請求項８】
衛星送信器からの放送電波を地上のモバイル端末が受信するモバイル放送のギャップフィラーシステムの番組信号送信方法において、
前記ギャップフィラーシステムは、中継出力部と、ＣＡＴＶ伝送系と、電波送信部とを備え、
前記中継出力部は、
前記モバイル放送の放送センターが送信するギャップフィラーシステム用ＴＤＭ信号を番組信号として受信し、前記受信したＴＤＭ信号をＣＡＴＶ放送の番組信号に準じる伝送規格のキャリヤ信号に変換して前記ＣＡＴＶ伝送系に出力し、
前記ＣＡＴＶ伝送系は、
第１、第２の入力端子および第１、第２の出力端子とを備えて従続接続される少なくとも１台のノード装置と、前記ノード装置に接続されるケーブルとを備え、
前記ノード装置は、
外部、又は前段のノード装置から前記第２の入力端子へ入力されるＣＡＴＶ放送の番組信号の多重信号を前記第１の出力端子へ出力し、前記中継出力部から前記第１の入力端子へ前記キャリヤ信号が入力される場合、前記入力された多重信号の所定のチャネルへ前記入力されたキャリヤ信号が挿入された第２の多重信号を生成して前記第１の出力端子へ出力し、前段の前記ノード装置から前記第２の入力端子へ入力される多重信号が前記所定のチャネルに前記キャリヤ信号が前記挿入された前記第２の多重信号である場合、そのキャリヤ信号を前記第２の多重信号から取り出して第２の出力端子から前記電波送信部へ出力し、
前記ノード装置から前記キャリヤ信号が入力された前記電波送信部は、
前記入力された前記キャリヤ信号を前記放送電波と同じＣＤＭ変調された電波に変換して前記モバイル端末へ送信すること、
を特徴とするギャップフィラーシステムの番組送信方法。
【請求項９】
衛星送信器からの放送電波を地上のモバイル端末が受信するモバイル放送のギャップフィラーシステムの番組信号送信方法において、
前記ギャップフィラーシステムは、中継出力部と、ＣＡＴＶ伝送系と、電波送信部とを備え、
前記中継出力部は、
前記モバイル放送の放送センターが送信するギャップフィラーシステム用ＴＤＭ信号を番組信号として受信し、前記受信したＴＤＭ信号をＣＡＴＶ放送の番組信号に準じる伝送規格のキャリヤ信号に変換して前記ＣＡＴＶ伝送系に出力し、
前記ＣＡＴＶ伝送系は、
第１、第２の入力端子、および出力端子を備えて従続接続される少なくとも１台のノード装置と、前記ノード装置に接続されるケーブルとを備え、
前記ノード装置は、
外部、又は前段のノード装置からＣＡＴＶ放送の伝送規格の番組信号の多重信号を前記第２の入力端子で入力し、前記入力された前記多重信号を前記出力端子へ出力し、前記中継出力部から前記第１の入力端子へ前記キャリヤ信号が入力された場合、前記入力された前記多重信号の所定のチャネルへ前記入力されたキャリヤ信号が挿入された第２の多重信号にして前記出力端子から前記ケーブルを介して前記電波送信部と次段のノード装置との少なくともいずれか１つへ出力し、
前記第２の多重信号が入力された前記電波送信部は、
前記第２の多重信号の所定のチャンネルから前記挿入されたキャリヤ信号を取り出し、前記取り出されたキャリヤ信号を前記放送電波と同じＣＤＭ変調された電波に変換して前記モバイル端末へ送信すること、
を特徴とするギャップフィラーシステムの番組送信方法。
【請求項１０】
衛星送信器からの放送電波を地上のモバイル端末が受信するモバイル放送のギャップフィラーシステムの番組信号送信方法において、
前記ギャップフィラーシステムは、中継出力部と、電波送信部とを備え、
前記中継出力部は、前記モバイル放送の放送センターが送信するギャップフィラーシステム用ＴＤＭ信号を番組信号として受信し、前記受信したＴＤＭ信号をＣＡＴＶ放送の番組信号に準じる伝送規格のキャリヤ信号に変換して前記電波送信部へ出力し、
前記中継出力部から前記キャリヤ信号が入力された前記電波送信部は、
前記入力された前記キャリヤ信号を前記放送電波と同じＣＤＭ変調された電波に変換して前記モバイル端末へ送信すること、
を特徴とするギャップフィラーシステムの番組信号送信方法。
【請求項１１】
前記ギャップフィラーシステムは、
モバイル放送の放送センターから前記衛星送信器を経由して送信される前記モバイル放送のギャップフィラー用ＴＤＭ信号の衛星中継波を受信する衛星受信アンテナを備え、
前記中継出力部は、前記衛星受信アンテナを介して前記衛星中継波を受信して復調することにより前記ギャップフィラー用ＴＤＭ信号を受信することを特徴とする請求項７乃至１０のいずれか１つに記載のギャップフィラーシステムの番組信号送信方法。
【請求項１２】
前記中継出力部は、地上の通信ネットワークに接続され、
前記モバイル放送の放送センターが送信する前記ギャップフィラー用ＴＤＭ信号を前記通信ネットワークを介して受信することを特徴とする請求項７乃至１０のいずれか１つに記載のギャップフィラーシステムの番組信号送信方法。
【請求項１３】
前記ネットワークに接続される中継出力部は、ＣＡＴＶ放送の番組信号を多重するヘッドエンド装置であることを特徴とする請求項１２に記載のギャップフィラーシステムの番組信号送信方法。
【請求項１４】
前記伝送規格は、前記番組信号を６４ＱＡＭ変調して送信する伝送規格であることを特徴とする請求項７乃至１０のいずれか１つに記載のギャップフィラーシステムの番組信号送信方法。
【発明の詳細な説明】
【技術分野】
【０００１】
本発明は、衛星を利用したモバイル放送のギャップフィラーシステム、およびその番組信号送信方法に関する。
【背景技術】
【０００２】
衛星を利用して車両等の移動体の受信器へ放送番組をデジタル放送するモバイル放送システムは、ビル影、トンネル等、衛星送信器からの電波が受信できない不感地帯が生じる。そこで、不感地帯対策として衛星送信器からの電波を受信して再送信するリピータであるギャップフィラーを用いる。そして移動体の受信器は、衛星送信器からの直接波に代わりギャップフィラーから送信された中継電波を受信することにより不感地帯でも連続して放送を視聴できる。
【０００３】
モバイル放送では、移動体の受信器は、衛星送信器からＳバンド２．６ＧＨｚの電波を受信するが、ギャップフィラーは、衛星送信器から再生中継用として送信されるＫｕバンドの電波を受信してＳバンドに変換して送信する。
【０００４】
即ち、ギャップフィラーは、衛星送信器からの電波を受信する衛星受信アンテナに付属した処理装置により、放送番組の信号がＴＤＭ変調されたＫｕバンドのギャップフィラー信号を衛星送信器から送信される電波を受信する。そして、受信電波を復調し、更に衛星送信器から送信される放送電波と同じＣＤＭ変調されたＳバンドの電波に変換してギャップフィラーの送信アンテナから不感地帯へ再送信することにより不感地帯の受信機がモバイル放送を受信出来るようにする。
【０００５】
ところが、衛星受信アンテナとギャップフィラーの送信アンテナとの間を接属するケーブル長が長いと、処理装置でＳバンドに変換された電波がケーブル伝送中に減衰する問題が有った。そこで、このケーブル間を伝送される送信信号をより減衰の少ないＩＦ周波数で伝送して減衰の影響を少なくする方法がとられている（例えば、特許文献１。）。
【０００６】
しかし、この方法に於いてもこれらのアンテナ間を接続するケーブルをギャップフィラーの為に独自に敷設しなければならず費用を要し、特に広域ギャップフィラーと呼ばれるように道路を跨って複数の送信アンテナを設置する場合には、ケーブル敷設に支障がある問題があった。
【特許文献１】特開２００１−２３０７１７号公報（第１１頁、第１図）
【発明の開示】
【発明が解決しようとする課題】
【０００７】
モバイル放送の不感地帯対策で用いられるギャップフィラーは、衛星中継波を受信する衛星受信アンテナと移動体の受信器へ再送信波を送信する送信アンテナとの間のケーブル伝送中、信号に減衰が生じる問題があった。本発明は上記問題を解決するためになされたもので、ケーブル減衰の影響を避けるケーブル敷設工事の障害を避けるギャップフィラーシステム、その番組信号送信方法を提供することを目的とする。
【課題を解決するための手段】
【０００８】
上記目的を達成するために、本発明のギャップフィラーシステムは、衛星送信器からの放送電波を地上のモバイル端末が受信するモバイル放送のギャップフィラーシステムであって、前記モバイル放送の放送センターが送信するギャップフィラー用ＴＤＭ信号を番組信号として受信し、前記受信したＴＤＭ信号をＣＡＴＶ放送の番組信号に準じる伝送規格のキャリヤ信号に変換して出力する中継出力部と、従続接続される少なくとも１台のノード装置と前記ノード装置に接続されるケーブルとを備え、前記中継出力部から入力される前記キャリヤ信号を伝送して出力するＣＡＴＶ伝送系と、前記ＣＡＴＶ伝送系から入力される前記キャリヤ信号を、前記放送電波と同じＣＤＭ変調された電波に変換して、前記モバイル端末へ送信する電波送信部とを備え、前記ノード装置は、前記中継出力部から前記キャリヤ信号が入力される第１の入力端子と、外部、又は前段のノード装置からＣＡＴＶ放送の番組信号の多重信号が入力される前記第２の入力端子と、前記入力される前記多重信号を出力し、更に前記第１の入力端子へ前記キャリヤ信号が入力された場合、前記入力された前記多重信号の所定のチャネルへ前記第１の入力端子から入力されたキャリヤ信号が挿入された第２の多重信号を出力する第１の出力端子と、前記第２の入力端子へ前記キャリヤ信号が挿入された前記第２の多重信号が入力される場合、前記挿入されたキャリヤ信号を取り出して前記電波送信部へ出力する第２の出力端子とを具備することを特徴とする。
【０００９】
また、本発明のモバイル放送のギャップフィラーシステムの番組信号送信方法は、衛星送信器からの放送電波を地上のモバイル端末が受信するモバイル放送のギャップフィラーシステムの番組信号送信方法において、前記ギャップフィラーシステムは、中継出力部と、ＣＡＴＶ伝送系と、電波送信部とを備え、前記中継出力部は、前記モバイル放送の放送センターが送信するギャップフィラーシステム用ＴＤＭ信号を番組信号として受信し、前記受信したＴＤＭ信号をＣＡＴＶ放送の番組信号に準じる伝送規格のキャリヤ信号に変換して前記ＣＡＴＶ伝送系に出力し、前記ＣＡＴＶ伝送系は、第１、第２の入力端子および第１、第２の出力端子とを備えて従続接続される少なくとも１台のノード装置と、前記ノード装置に接続されるケーブルとを備え、前記ノード装置は、外部、又は前段のノード装置から前記第２の入力端子へ入力されるＣＡＴＶ放送の番組信号の多重信号を前記第１の出力端子へ出力し、前記中継出力部から前記第１の入力端子へ前記キャリヤ信号が入力される場合、前記入力された多重信号の所定のチャネルへ前記入力されたキャリヤ信号が挿入された第２の多重信号を生成して前記第１の出力端子へ出力し、前段の前記ノード装置から前記第２の入力端子へ入力される多重信号が前記所定のチャネルに前記キャリヤ信号が前記挿入された前記第２の多重信号である場合、そのキャリヤ信号を前記第２の多重信号から取り出して第２の出力端子から前記電波送信部へ出力し、前記ノード装置から前記キャリヤ信号が入力された前記電波送信部は、前記入力された前記キャリヤ信号を前記放送電波と同じＣＤＭ変調された電波に変換して前記モバイル端末へ送信することを特徴とする。
【発明の効果】
【００１０】
第１の本発明によれば、モバイル放送の番組信号をＣＡＴＶ放送の番組信号放送に準じてＣＡＴＶ放送の伝送系を用いて伝送することによりケーブル減衰の影響を避け、ケーブル敷設工事の障害を避けるギャップフィラーシステム、その番組信号送信方法を提供できる。また、第２の本発明によれば、モバイル放送の番組信号をＣＡＴＶ放送の番組信号放送に準じてケーブル上を伝送することによりケーブル減衰の影響を避けるギャップフィラーシステム、その番組信号送信方法を提供できる。
【発明を実施するための最良の形態】
【００１１】
以下、図面を参照して本発明の実施例を説明する。
【実施例１】
【００１２】
図１は、本発明の実施例に係るギャップフィラーシステムの構成図である。
【００１３】
図１においてシステムは、衛星受信アンテナ１、中継出力部２、ＣＡＴＶ伝送系３、および電波送信部４を備えている。また、ギャップフィラーシステムに接続される設備又は、装置として、モバイル放送の受信器であるモバイル端末５、モバイル放送の放送センター６、衛星送信アンテナ７、衛星送信器８がある。
【００１４】
モバイル放送では、モバイル端末５で受信するＳバンドの放送電波の番組信号に加えて、衛星送信器８からＫｕバンドのギャップフィラー用のＴＤＭ（Ｔｉｍｅ  Ｄｉｖｉｓｉｏｎ  Ｍｕｌｔｉｐｌｅｘ）信号の番組信号が変調されたＫｕバンドの電波（以下、衛星中継波と称する。）が、放送センター６から衛星送信アンテナ７を介して衛星送信器８へ送信される。
【００１５】
衛星受信アンテナ１は、衛星中継波を受信し中継出力部２へ出力する。中継出力部２は入力された衛星中継波をベースバンドのＴＤＭ信号に復調する。そして、モバイル放送の番組信号のＴＤＭ信号をＣＡＴＶ伝送系３で伝送される帯域内に割り当てられたチャンネルの搬送波の周波数で変調されたキャリヤ信号（以下、省略して、キャリヤ信号と称する。）に変換してＣＡＴＶ伝送系３に出力する。
【００１６】
ＣＡＴＶ伝送系３は、キャリヤ信号とＣＡＴＶ放送の番組信号を多重した多重信号をケーブルで伝送する。そして、伝送先の電波送信部４に多重信号からキャリヤ信号を分離して出力する。
【００１７】
電波送信部４は、ＣＡＴＶ伝送系３からキャリヤ信号を入力し、ベースバンドのＴＤＭ信号に復調後、更に衛星送信器８から送信される放送電波（以下、直接波と称する。）と同じＣＤＭ（Ｃｏｄｅ  Ｄｉｖｉｓｉｏｎ  Ｍｕｌｔｉｐｌｅｘ）変調されたＳバンドの電波（以下、再送信波と称する。）にしてアンテナから不感地帯へ送信する。モバイル端末５は、不感地帯に入っても電波送信部４のアンテナから再送信波、即ち、放送電波を受信して番組を連続して視聴することが出来る。
【００１８】
図２は、本発明の実施例に関わるギャップフィラーシステムの各構成の設置例を説明する図である。  
図２において、ビルに挟まれた道路Ｒ、および各ビル９Ａ〜９Ｎの中では、モバイル端末５が衛星送信器８の送信電波が各ビル９により遮られ受信できないので、モバイル放送を受信することが出来ない不感地帯になっている。そこで、ギャップフィラーシステムの衛星受信アンテナ１と中継出力部２とが、例えば、ビル９Ａに設置される。ＣＡＴＶ伝送系３は、ビル街に設置されたＣＡＴＶ放送の番組信号の伝送路で、ノード装置３１とケーブル３２とにより路地を跨り各ビル９間にケーブルが敷設され、道路Ｒに沿った各ビル９Ａ〜ビル９Ｎ、および道路ＲでＣＡＴＶ放送を受信可能にしている。
【００１９】
中継出力部２は、衛星受信アンテナ１で受信したモバイル放送の番組信号のキャリヤ信号を中継出力部２に接続されたノード装置３１へ出力する。道路沿いのビル９Ｂ〜ビル９Ｎには、ＣＡＴＶ伝送系３のノード装置３１からキャリヤ信号を受信し、再送信波に変換して道路Ｒ、又はビル９内へ再送信する電波送信部４が設置されている。また、電波送信部４は、例えば、ビル９Ｎの様に同一ビル内で複数設置される場合もある。
【００２０】
電波送信部４には、アンテナ４３が設置されているが各電波送信部４のアンテナ４３のカバーエリヤは、ビル外部をカバーするもの、ビル内をカバーするもの、ビル内外を同時にカバーするなどビル毎により様々に設定される。
【００２１】
道路Ｒでは、送信電波のカバーエリヤを組み合わせるとカバーエリヤ１００の様に道路沿いに続いて連続するように各電波送信部４が設置されている。従って、道路Ｒ上のモバイル端末５は、再送信波を各電波送信部４から受信することによりモバイル放送の番組をカバーエリヤ１００の中で連続して視聴出来る。なお、ビル９Ａでは、図２の様にキャリヤ信号は、ＣＡＴＶ伝送系３を介さずに直接、電波送信部４へ出力されても良い。
【００２２】
また、電波送信部４は同じく不感地帯であるビル内に再送信波を送信する場合、例えば、ビル９Ｎ同様にビル内には図示しないが、複数の、例えば、フロア毎に設置された電波送信部４がＣＡＴＶ伝送系３に接続され、ＣＡＴＶ伝送系３を介してＭＴＳが各電波送信部４に配信（出力）される。この様な複数の電波送信部４がＣＡＴＶ伝送系３を介して接続される場合のＣＡＴＶ系３の動作は、後の図４におけるＣＡＴＶ伝送系３の動作説明で述べられる。
【００２３】
図３〜図５は、それぞれ、図１における中継出力部２、ＣＡＴＶ伝送系３、電波送信部４の機能構成を示すブロック図である。  
以下、図３〜図５を参照してギャップフィラーシステムの各部の構成および処理概要を説明する。  
図３において、中継出力部２は、受信復調部２１、キャリヤ変調部２２、およびチャネル設定部２３を備える。受信復調部２１は、衛星受信アンテナ１から衛星中継波が入力され、衛星中継波を周波数変換、検波して番組放送のＴＤＭ信号に復調してＣＡＴＶ放送システムが伝送するＣＡＴＶ信号（放送番組信号）の１つとして出力する（以下モバイル放送用の番組信号をＭＴＳと称する。）。このＭＴＳは、デジタルのシリアル信号で更にキャリヤ変調部２２へ出力される。そこでＣＡＴＶ信号の伝送条件に従ったチャネルの搬送波が変調されたキャリヤ信号に変換され、ＣＡＴＶ伝送系３に出力される。
【００２４】
チャネル設定部２３は、初期設定により所定の搬送波の周波数が設定記憶され、キャリヤ変調部２２の搬送波の周波数を制御する。また、自動的に搬送波の周波数を設定する場合は、ＣＡＴＶ伝送系３から多重ＣＡＴＶ信号ＴＳＭＸを受信してその中の空きチャネルを探し出して搬送波の周波数として設定する処理を行う。
【００２５】
ＣＡＴＶ信号の伝送条件は、ＣＡＴＶ放送事業者が運用するＣＡＴＶ伝送系３の伝送規格で、例えば、ＪＣＴＥＡ（日本ＣＡＴＶ技術協会）の標準規格が適用される。
【００２６】
この伝送規格では、地上波テレビやＢＳ放送の番組信号を伝送出来るチャネル帯域が確保されている。モバイル放送のＴＤＭ信号は、それ等の番組信号の帯域内に収まる狭い帯域の信号なのでＣＡＴＶ伝送系３は、それを伝送することが出来る。その場合、キャリヤ変調部２２は、ＴＤＭ信号のＭＴＳの信号を６ＭＨｚ帯域の６４ＱＡＭのキャリヤ信号としてＣＡＴＶ伝送系３に出力する。
【００２７】
これらのキャリヤ信号は、例えば、９０―７７０ＭＨｚのＣＡＴＶ伝送帯域内の予め設定された所定のチャネルに割り当てられ、その各キャリヤ信号が多重されたＣＡＴＶ放送番組信号（以下、多重ＣＡＴＶ信号ＴＳＭＸと称する。）としてケーブル上を伝送される。チャネル割り当てる方法は、ＪＣＴＥＡの標準規格に従い予め設定される方法か、又は空きチャネルを探して自動的に割り当てる方法のいずれでも良いが、以下では、予めモバイル放送用のチャネルが設定されている場合を例に説明する。
【００２８】
ＪＣＴＥＡの標準規格以外の規格で伝送する場合、例えば、米国のＭＣＮＳ（Multimedia  Cable  network  System Partners）等では、その規格でＴＤＭ信号のＭＴＳを変調してＣＡＴＶ伝送系３に出力する。また、別のケースとして光ファイバ伝送路により時分割多重伝送する場合には、キャリヤ変調部２２はＴＤＭ信号のＭＴＳを所定のタイムスロットに挿入できるフレームフォーマットとクロックタイミングにして出力すれば良い。
【００２９】
電波送信部４もそれに対応して所定のチャネルのキャリヤ信号を抜き出して復調するか、又は、時分割多重伝送される場合には、所定のタイムスロットから番組信号のＴＤＭ信号を抜き出せば良い。以下、ＪＣＴＥＡの標準規格のＣＡＴＶ伝送系３でモバイル放送のＭＴＳを伝送する場合を例に、実施例を説明する。
【００３０】
図４において、ＣＡＴＶ伝送系３は、運用サービスの対象となるＣＡＴＶ放送システムの放送番組の信号を伝送する伝送路である。ＣＡＴＶ伝送系３では、ＪＣＴＥＡの伝送規格によりＣＡＴＶ放送の番組信号、および１チャネル以上のモバイル放送の番組信号（ＭＴＳ）とが多重されて伝送される。ＣＡＴＶ伝送系３は、ケーブル上を伝送される多重ＣＡＴＶ信号ＴＳＭＸから特定のＭＴＳを多重・分離するノード装置３１、およびケーブル３２を備えている。
【００３１】
（図２において、ノード装置３１は、各ビル９Ｂ〜ビル９Ｎに設置されているが、以下、各ノード装置３１において共通な事項を説明する場合は、ノード装置３１と呼び、各ビル９で特定の動作を説明する場合は、例えば、ノード装置３１Ｂの様に、ビルの番号を付与して説明する。）。
【００３２】
ノード装置３１は、ＴＳの入力端子３１０ａ、入力端子３１０ｎ、出力端子３３０ａとケーブル出力端子３３０ｎ、多重分離部３１１とを備える。そして、ノード装置３１Ａでは、多重分離部３１１が入力端子３１０ａに入力されたモバイル放送のＴＤＭ信号、即ち、ＭＴＳを、入力端子３１０ｎに入力される多重されたＣＡＴＶ放送番組信号（以下、多重ＣＡＴＶ信号ＴＳＭＸと称する。）に追加して多重した多重信号（以下、多重信号ＴＳＭＸＸと称する。）を生成する。そして、生成された多重信号ＴＳＭＸＸをケーブル出力端子３３０ｎに接続されたケーブル３２へ送信する。
【００３３】
なお、多重ＣＡＴＶ信号ＴＳＭＸは、９０−７７０ＭＨｚの帯域内で６４ＱＡＭ変調された６ＭＨｚ帯域のキャリヤ信号が所定のチャネルに割り当てられて多重され、多重信号ＴＳＭＸＸは、この９０−７７０ＭＨｚの帯域内のチャネルにＭＴＳが割り当てられている。
【００３４】
次段のノード装置３１Ｂでは、多重分離部３１１が入力端子３１０ｎに接続されたケーブル３２から受信する多重信号ＴＳＭＸＸからＭＴＳを取り出す一方、更に、多重信号ＴＳＭＸＸをケーブル出力端子３３０ｎに接続されたケーブル３２へ送信する。このノード装置３１Ｂから出力されたＭＴＳは、６４ＱＡＭで変調された６ＭＨｚの伝送帯域のキャリヤ信号に復元されている。ノード装置３１Ｃ〜３１Ｎにおいてもノード装置３１Ｂと同様の動作が行われる。なお、ノード３１Ｎでは、次段でモバイル放送のＭＴＳが不要であれば、そのノード装置１は、ＭＴＳを多重信号ＴＳＭＸＸから削除して元の多重ＣＡＴＶ信号ＴＳＭＸに復元して次段へ送信しても良い。
【００３５】
また、ノード装置３１が備える入力端子の数は、上記の説明では２つとしているが、更に複数の入力端子を備えて、そこから入力された複数のモバイル放送等のＭＴＳをそれぞれキャリヤ信号に変換し、それらを多重ＣＡＴＶ信号ＴＳＭＸに追加して多重するものであっても良い。そして更に、ノード装置３１は、多重されていない複数のチャネルのモバイル放送のＭＴＳのみを入力してケーブル出力端子３３０ｎから多重ＣＡＴＶ信号ＴＳＭＸＸとして出力する装置であっても良い。
【００３６】
また、中継送信部３１が送信するキャリヤ信号は、空きチャンネル用に設定された周波数でなく、ＣＡＴＶ伝送系３内の搬送波の周波数で入力されれば、ノード装置３１が空きチャネルを探し出して自動的に割り当てるものであっても良い。そして、ノード装置１は、電波送信部４に予め設定されている搬送波周波数でキャリヤ信号を出力するものであっても良い。
【００３７】
ケーブル３２は、各ノード装置３１の間で信号を伝送するが、ケーブル長が長くなると減衰を補償する為にケーブルとケーブルの間に中継増幅器３２１が１台又は、複数挿入されるものであっても良い。この様に、本実施例のギャップフィラーシステムは、伝送ケーブルの信号減衰を補償することが出来る。
【００３８】
次に図５により電波送信部４の構成と動作の説明をする。
【００３９】
図５において、電波送信部４は、変復調部４１、送信器４２、アンテナ４３を備える。ＣＡＴＶ伝送系３のノード装置３１からモバイル放送の番組信号ＭＴＳが電波送信部４へ出力される。変復調部４１は、キャリヤ復調部４１１、シリアルパラレル変換部４１２と、ＣＤＭ変調部４１３とを備えている。
【００４０】
キャリヤ復調部４１１は、ノード装置３１から入力されたキャリヤ信号の６４ＱＡＭ復調を行いＴＤＭ信号のＭＴＳに復調してシリアルパラレル変換部４１２へ出力する。シリアルパラレル変換部４１２は入力されたＴＤＭ信号を直接波と同じコード（符号化）で多重変調するためのシリアルパラレル変換を行い、そのパラレル変換された信号（ＭＴＳ）をＣＤＭ変調部４１３がＣＤＭ変調して送信器４２へ出力する。送信器４２はＣＤＭ変調信号を電波にしてアンテナ４３から送信する。
【００４１】
この場合、ＣＡＴＶ伝送系３のケーブルは、既に運用されているＣＡＴＶ放送事業者によって道路沿いに敷設されているものを利用すれば、モバイル放送専用のケーブルを改めて敷設する必要が無くケーブル敷設工事に係わる支障を避けることが出来る。
【実施例２】
【００４２】
実施例２は、ＣＡＴＶ伝送系３のノード装置３１では、キャリヤ信号（ＭＴＳ）の分離を行わず、電波送信部４が、多重信号ＴＳＭＸＸからＭＴＳを分離して取り出すものである。
【００４３】
図６は、本発明の実施例２におけるＣＡＴＶ伝送系３の機能構成を説明するブロック図である。図６において、ノード装置３１Ｂ〜３１Ｎは、出力端子３３０ａからケーブル出力端子３３０ｎと同様に多重信号ＴＳＭＸＸが電波送信部４へ出力される。また、出力端子３３０ａが省略され、ケーブルコネクタに分岐コネクタが用いられて多重信号ＴＳＭＸＸが電波送信部４へ出力されるものであっても良い。この場合、ノード装置３１Ｂ〜３１Ｎは、中継増幅器３２１に置き換えられても良い。
【００４４】
電波送信部４では、キャリヤ復調部４１１が入力された多重信号ＴＳＭＸＸから所定の搬送周波数のチャネルに同調、または、フィルタにより所定のチャネルを抜き出してＭＴＳを取り出す。以上の点以外は初めの実施例と同様である。
【実施例３】
【００４５】
実施例３は、ケーブル敷設工事に係わる立地問題が無い場合に、初めの実施例におけるＣＡＴＶ伝送系３、即ち、敷設済みのＣＡＴＶ放送システムのノード装置や伝送ケーブルを利用しない。
【００４６】
例えば、同一ビル内に敷設するケーブルによりモバイル放送のＭＴＳ（ギャップフィラー用のＴＤＭ信号）をＪＥＣＴＡの標準で定められた周波数の搬送波が６４ＱＡＭ変調された６ＭＨｚ帯域のキャリヤ信号で伝送するものである。
【００４７】
図７は、本発明の第２の実施例に係わるギャップフィラーシステムの構成図である。  
図７において、中継出力部２のキャリヤ変調部２２と電波送信部４のキャリヤ復調部４１１とが直接ケーブル３２（同軸ケーブル等）で接続される。この方法では、ＭＴＳはＳバンドに比べて低い搬送波の周波数によりＩＦ伝送されるので、ケーブルによる減衰の影響を小さく抑えることが出来る。そして、高価な低損失のケーブルを使わなくても済み、またノード装置が不要等のコストメリットもある。
【実施例４】
【００４８】
図８は、実施例４におけるギャップフィラーシステムの構成図である。  
図において、ギャップフィラーシステムへ入力されるＴＤＭ信号は、衛星受信アンテナ１から入力されるＴＤＭ信号から変換されたＭＴＳに代えて、モバイル放送の放送センター６から直接ＴＤＭ信号のＭＴＳがＣＡＴＶ伝送系３へ供給される。
【００４９】
この場合、モバイル放送の放送センター６からギャップフィラー用のＴＤＭ信号のＭＴＳが、地上の通信ネットワーク２５を介して中継送信部２へ送信される。この実施例３では、中継送信部２の受信復調部２１は、衛星受信アンテナから１の代わりに通信ネットワーク２５から送信されるＴＤＭ信号のＭＴＳを、キャリヤ変調部２２に出力するインタフェースに変更されている。キャリヤ変調部２２では、実施例１〜３と同様にキャリヤ信号が生成されて出力される。出力されたキャリヤ信号はＣＡＴＶ伝送系３のノード装置３１の入力端子３１０ａへ入力され、それ以降は実施例１と同様に処理される。実施例４では、既存のＣＡＴＶ放送システムの伝送ネットワークを利用するため、衛星受信アンテナ１を用いないで済むので設備費用を節約できる。
【実施例５】
【００５０】
図９は、実施例５におけるギャップフィラーシステムの構成図である。  
実施例５は、モバイル放送のＴＤＭ信号のＭＴＳを初めからＣＡＴＶ放送の番組放送の多重信号の１つとして送信するものである。図８において放送センター６からギャップフィラー用のＴＤＭ信号のＭＴＳが地上のネットワーク２５を介してＣＡＴＶ放送事業者のヘッドエンド装置２６へ供給される。
【００５１】
ヘッドエンド装置２６は、番組信号を多重出力する装置であり、モバイル放送の番組信号であるＭＴＳも最初からＣＡＴＶ多重信号ＴＳＭＸの１つのチャネルに割り当てられ、図４、および図６に示されるノード装置３１Ａでは、入力端子３１０ａは使用されず多重処理を行わない。ヘッドエンド装置２６は、実施例１〜４における中継送信部２として機能するものと考えて良く、各ノード装置３１、電波送信部４の動作は、実施例１〜４の場合と同様である。
【００５２】
実施例５では、既存のＣＡＴＶ放送システムの伝送ネットワークを利用するため、衛星受信アンテナ１および中継出力部２を用いないで済むので設備費用を節約できる。
【００５３】
以上説明したように、本発明によれば、ケーブル減衰の影響を避け、且つケーブル敷設工事の障害を避けるギャップフィラーシステムが実現できる。
【図面の簡単な説明】
【００５４】
【図１】本発明の実施例に係わるギャップフィラーシステムの構成図。
【図２】本発明の実施例に係わるギャップフィラーシステムの各構成の設置例を示す図。
【図３】本発明の実施例に係わるギャップフィラーシステムの中継出力部２の機能構成を示すブロック図。
【図４】本発明の実施例に係わるギャップフィラーシステムのＣＡＴＶ伝送系３の機能構成を示すブロック図。
【図５】本発明の実施例に係わるギャップフィラーシステムの電波送信部４の機能構成を示すブロック図。
【図６】本発明の実施例２に係わるギャップフィラーシステムのＣＡＴＶ伝送系３の機能構成を示すブロック図。
【図７】本発明の実施例３に係わるギャップフィラーシステムの構成図。
【図８】本発明の実施例４におけるギャップフィラーシステムの構成図。
【図９】本発明の実施例５におけるギャップフィラーシステムの構成図。
【符号の説明】
【００５５】
１  衛星受信アンテナ
２  中継出力部
２１  受信復調部
２２  キャリヤ変調部
２５  通信ネットワーク
２６  ヘッドエンド装置
３  ＣＡＴＶ伝送系
３１  ノード装置
３２  ケーブル
３２１  中継増幅器
４  電波送信部
４１  変復調部
４１１  キャリヤ復調部
４１２  シリアルパラレル変換部
４１３  ＣＤＭ変調部
４２  送信器
４３  アンテナ
５  モバイル端末
６  放送センター
７  衛星送信アンテナ
８  衛星送信器
９  ビル
【図１】
2006080985.tif 000003
【図２】
2006080985.tif 000004
【図３】
2006080985.tif 000005
【図４】
2006080985.tif 000006
【図５】
2006080985.tif 000007
【図６】
2006080985.tif 000008
【図７】
2006080985.tif 000009
【図８】
2006080985.tif 000010
【図９】
2006080985.tif 000011